(57)【要約】【課題】　折板等の非平坦屋根に対する屋上の緑化を図るに際し、土壌保持マットで形成されたプランター状のユニット又はプランターを用いて、養生畑で植生した緑化物を設置する構造とその施工工法を低コストで手順良く施工するようにする。【解決手段】　梁２の上に剣先ボルト５を介して折板屋根１とタイトフレーム３を重層して装着し、同折板屋根１の表面にプランター状のユニット又はプランター１０ｃを複数併置して止め金具で固定し、折板屋根１との間に間隙部１２を有するようにして直接的に折板屋根１がプランター状のユニット又はプランター１０ｃの水によって腐蝕されないようにし、低コストで円滑な施工手順により緑化施工をなし、外観的に見栄えも良好で耐久性も良いものとした。【選択図】　　　　　　図１
2004137895.tif 000002
【特許請求の範囲】
【請求項１】
表面に凹凸形状を形成する非平坦屋根の緑化構造において、上記非平坦屋根の凸状部に止め金具を設け、同非平坦屋根の表面に土壌保持マットで形成されたプランター状のユニットを複数併置して上記止め金具により固定したことを特徴とする非平坦屋根の緑化構造。
【請求項２】
上記プランター状の土壌保持マットに代えて、プランターを採用したことを特徴とする請求項１に記載の非平坦屋根の緑化構造。
【請求項３】
非平坦屋根の緑化工法において、上記非平坦屋根の隣接する凹状部に、間隙部を有してプランター状のユニット又はプランターを配置し、これを上記非平坦屋根の凸状部に固定して一体化したことを特徴とする非平坦屋根の緑化工法。
【請求項４】
上記プランター状のユニット又はプランターの植生を予め養生畑で行い、これを搬入して上記非平坦屋根の凸状部に固定して一体化したことを特徴とする請求項３に記載の非平坦屋根の緑化工法。
【請求項５】
上記プランター状のユニット又はプランターを非平坦屋根に配設する前後何れかにおいて、同プランター状のユニット又はプランターに土壌をつめることを特徴とする請求項３に記載の非平坦屋根の緑化工法。
【発明の詳細な説明】
【技術分野】
【０００１】
　本発明は折板屋根等のように、非平坦屋根を有する建築構造物の屋上緑化の技術に関するものである。
【背景技術】
【０００２】
　周知のように、近時地球の温暖化は著しく、都市部においては酷暑現象やヒートアイランド現象が著しくなり、これに対処する屋上緑化等の緑化技術が景観美化と相侯って盛んに導入されている。
【０００３】
　しかしながら、折板屋根やスレート屋根等、非平坦屋根を緑化する場合には、該屋根面が非平坦で一定方向に凹凸部が多くなる構造であるためにその施工が容易ではなく、したがって、この非平坦屋根にアングルを介して木毛セメント板等を乗せ、更に防水処理を施して平坦な基盤を形成し、その上に緑化システムを現出する態様が多かった。
【０００４】
【特許文献１】特開２００２−１２５４５１号公報
【発明の開示】
【発明が解決しようとする課題】
【０００５】
　しかしながら、このような従来の緑化構造、又はその施工方法を採用する場合には、部材点数が多いこと、また、工程も複雑であること等が原因となり、コスト的に安くならなくなって緑化のメリットも薄れ、計画倒れとなり実際には採用されない場合がしばしば見受けられた。
【０００６】
　特に建築物の屋根は、それ自体が施工や構造が大掛かりなものであることから、同屋根の緑化も追随的に大掛かりなものとならざるを得ず、そのために緑化がなされなくなるというものであった。
【課題を解決するための手段】
【０００７】
　この出願の発明は、上記した従来の技術に基づく非平坦部を有する屋根における屋上緑化に関連する問題点を解決すべき技術的課題とし、土壌保持マットで形成されたプランター状のユニットや、プランター等を用い、施工困難な屋根でも極めて簡易に緑化が出来る非平坦屋根緑化構造及びその緑化工法を提供するようにしたものである。
【０００８】
　すなわち、上記した特許請求の範囲を要旨とするこの発明の構成は、上記の技術的課題を解決するために、表面に凹凸形状を形成する非平坦屋根の緑化構造において、上記非平坦屋根の凸状部に止め金具を設け、同非平坦屋根の表面に土壌保持マットで形成されたプランター状のユニットを複数併置して上記止め金具により固定したことを第一の基幹とし、その際、上記プランター状の土壌保持マットに代えて、プランターを採用可能とし、更に、また、非平坦屋根の緑化工法において、上記非平坦屋根の隣接する凹状部に、間隙部を有してプランター状のユニット又はプランターを配置し、これを上記非平坦屋根の凸状部に固定して一体化することを第二の基幹とし、そしてその際、上記プランター状のユニット又はプランターの植生を予め養生畑で行い、これを搬入して上記非平坦屋根の凸状部に固定して一体化し、更にまた、上記プランター状のユニット又はプランターを非平坦屋根に配設する前後何れかにおいて、同プランター状のユニット又はプランターに土壌をつめるようにした技術的手段を講じたものである。
【０００９】
　そして上記構成において、折板屋根等の非平坦の屋根に緑化を施すようにすることに際し、土壌保持マットで形成されたプランター状のユニット又はプランターを止め金具により非平坦屋根の凸状部に固定し、同プランター状のユニット又はプランターでは床土層を保持し、その下部において間隙を屋根との間に形成して該屋根が直接的にプランター状のユニット又はプランターの水分に触れずに経時的に腐蝕が避けられるようにし、また、設計通りのスムーズな手順により施工が簡易に行われ、コストダウンが図れるようにするものであり、緑化が外観的にも見栄えが良いようにしたものである。
【発明の効果】
【００１０】
　以上、この出願の発明によれば、折板等の非平坦な屋根を従来技術にしたがって緑化する際に顕在することとなる不具合、すなわち、アングルを介して木毛セメント板等を乗せ、防水処理を施して平板状に緑化システムを構築する等々の工程のためにコスト高を招き、且つ、施工手順も繁雑であり、緑化メリットを薄くするという不具合がなくなり、施工が大がかりにならずに済み、適切な緑化が行われ、屋根材が間隙を介して浮いた状態の床土層を介装し、また、間隙を介して折板屋根上にセットするために、当該折板屋根はプランター状のユニット又はプランター等に直接接触せず、したがって、これらに付着、保持される水分の影響を永続的には受けず直接的な腐蝕作用はなく、耐久性が良好である等々の優れた効果を奏し得るものである。
【発明を実施するための最良の形態】
【００１１】
　次にこの出願の発明の実施の一形態を図１乃至図３に基づいて説明する。
図１は本実施の形態に係る非平坦屋根の緑化構造の要部を拡大して示す断面図で、図２のＡ−Ａ断面図、図２は本実施の形態の全体概略平面図、図３は本実施の形態の要部の説明図で、（ア）はプランター状部分の斜視図、（イ）は止め金具の組み立て説明図である。
【００１２】
　図示の実施形態は、都市近郊に建築される店舗や工場の倉庫等の折板屋根として想定されるもので、非平坦屋根の典型的な例であり、２は建物の梁を示し、この梁２の上部には断面形状で凹凸となったタイトフレーム３が固定され、同タイトフレーム３にはその形状なりに凹凸変形した金属板である折板が被せられ、金属製折板屋根１が形成されている。
【００１３】
　上記金属製折板屋根１の凸状部１ａには、同凸状部１ａの長手方向に沿って延びる剣山１５が固着されている。
ここで剣山１５は、細板状のフラットバー１５ａの表面に直立して上方に延びる複数のボルト７を溶接又は埋め込み等の適宜の手段により一定のピッチで植え込んだもので、花器の剣山を想定されるところからこのように命名している。
【００１４】
　なお、更に詳細に言えば、上記剣山１５を構成するボルト７のうち、いくつかのものは、上記タイトフレーム３と上記折板を連結して金属製折板屋根１として固定する剣先ボルト５が混在している。
【００１５】
　１０ｃはプランター状のユニット（ユニット式プランターともいう）で、柔軟性と強度に富んだ不織布状のマット部材によりこの形状に形成され、長手方向を水勾配に合わせて、これを金属製折板屋根１の凸状部１ａを支持点として凹状部にその表面と隙間を有してはめ込むように配置したものである。
【００１６】
　なお、このプランター状のユニット１０ｃは、柔軟性と強度に富んだ不織布状のマット部材で形成されたものであり、同マット部材を形成する繊維素材は、綿、麻、セルロース、ジュート、毛、絹等の天然繊維、カーボン繊維、アセテート、レーヨン等の再生繊維、ポリエステル、ポリアミド（ナイロン）、アクリル等の合成繊維が採用され得る。
【００１７】
　そして上記ユニット式プランター１０ｃは、図１乃至図３の表示からも理解できるように、金属製折板屋根１とタイトフレーム３とを重ね、剣山１５のボルト７及び剣先ボルト５、ナット８及び支持側となるフラットバー１５ａ、これに対となって押え側となるフラットバー１５ｂ等により、金属製折板屋根１とタイトフレーム３との凸状部１ａにおいて重層固着するようにされている。
【００１８】
　すなわち、上記ボルト７を植設し、かつ剣先ボルト５を混在させた剣山１５、ナット８、支持側となるフラットバー１５ａ、押え側となるフラットバー１５ｂ等によりユニット式プランター１０ｃの止め金具を構成し、同止め金具によりユニット式プランター１０ｃを上記金属製折板屋根１の凸状部１ａに堅牢に固着している。
【００１９】
　なお金属製折板屋根１上に上記ユニット式プランター１０ｃを配置する際に、凹凸列の一列おきにそれぞれの長手方向にユニット式プランター１０ｃを配列し、その後間に残された列に配列するようにすれば、図１に表示するような配列となり、各ユニット式プランター１０ｃはそれぞれの凸状部１ａに堅牢に支持されることとなる。
【００２０】
　そして各ユニット式プランター１０ｃの下面と金属製折板屋根１の間に形成される間隙部１２が空気層となり断熱効果を高めると共に、植生された植生物がユニット式プランター１０ｃとして一体的に緑化物として形成される。
【００２１】
　なお上記のように間隙部１２が形成されることにより、各ユニット式プランター１０ｃは直接に金属製折板屋根１と当接しないので、同ユニット式プランター１０ｃが帯びている湿気による永続的腐蝕は防がれるものである。
【００２２】
　また、各ユニット式プランター１０ｃへの緑化物の植生は、通常、遠隔の養生畑で行われ、これを搬入して上記金属製折板屋根１に配列することになるが、必ずしもこれに限られることなく、各ユニット式プランター１０ｃのポケット部１７に土壌１３を充填し、そこに植生を行うようにすることも出来る。
【００２３】
　従って各ユニット式プランター１０ｃのポケット部１７への土壌１３の充填作業は、同ユニット式プランター１０ｃの配置、配列のタイミングの前後何れにおいても可能であり、施工作業の自由度が高まるものである。
【００２４】
　このように本実施の形態によれば、種々の応用変形が容易であり、かつこれらの応用変形を含めて全体の施工工程を単純、容易化し、大幅なコストアップの必要もなく、緑化システムの普及、発展に寄与するものである。
【００２５】
　なお、ここではユニット式プランター１０ｃに保持した土壌１３に直接的に植生を行う事例をイメージして説明したが、これに限られるものではなく、ユニット式プランター１０ｃの上面に別途緑化植物を植生した植生マットを敷設することも出来る。
【００２６】
　また、ユニット式プランター１０ｃは、柔軟性と強度に富んだ不織布状のマット部材で形成するものとして説明したが、勿論これに限定されるものではなく、一般に市販されているプラスチック製や金属製の、いわゆるプランターと同類のものを採用することも出来る。
【００２７】
以上、本発明を図示の実施の形態について説明したが、本発明はかかる実施の形態に限定されず、本発明の範囲内でその具体的構造に種々の変更を加えてよいことはいうまでもない。
【図面の簡単な説明】
【００２８】
【図１】本発明の実施の一形態に係る非平坦屋根の緑化構造の要部を拡大して示す断面図で、図２のＡ−Ａ断面図である。
【図２】本実施の形態の全体概略平面図である。
【図３】本実施の形態の要部の説明図で、（ア）はプランター状部分の斜視図、（イ）は止め金具の組み立て説明図である。
【符号の説明】
【００２９】
　　１　　　　　　金属製折板屋根
　　１ａ　　　　　凸状部
　　２　　　　　　梁
　　３　　　　　　タイトフレーム
　　５　　　　　　剣先ボルト
　　７　　　　　　ボルト
　　８　　　　　　ナット
　１０ｃ　　　　　ユニット式プランター
　１２　　　　　　間隙部
　１３　　　　　　土壌
　１５　　　　　　剣山
　１５ａ　　　　　フラットバー
　１５ｂ　　　　　フラットバー
　１７　　　　　　ポケット部
　１９　　　　　　緑化植物
【図１】
2004137895.tif 000003
【図２】
2004137895.tif 000004
【図３】
2004137895.tif 000005